(57)【要約】【課題】カット針の外部への落下を抑制し、かつ、カット針の滞留を抑制して確実に回収することが可能なステープラを提供する。【解決手段】ステープラは、用紙を貫通した針の針足１２Ａをカットするカット部３０Ａを備え、カット部３０Ａは、用紙を貫通した針足１２Ａが導入される一対の導入部３００ＡＬ、３００ＡＲと、導入部３００ＡＬ、３００ＡＲに導入された針足１２Ａを切断する一対の切断部材３０１ＡＬ、３０１ＡＲと、切断部材３０１ＡＬ、３０１ＡＲで切断されたカット針を排出する排出路３０２Ａを備え、排出路３０２Ａは、一対の導入部３００ＡＬ、３００ＡＲの間にカット針の仮収納部３０９Ａを備え、仮収納部３０９Ａは、切断部材３０１ＡＬ、３０１ＡＲで切断されたカット針が入る一対の入口部３１０ＡＬ、３１０ＡＲを、導入部３００ＡＬ、３００ＡＲと対向する側面に備える。【選択図】図４
2018069635.tif 000002
【特許請求の範囲】
【請求項１】
針を打ち出して用紙に貫通させる針打出部と、
用紙を貫通した針の針足をカットするカット部と、
用紙を貫通した針の針足を折り曲げて用紙を綴じる綴じ部を備え、
前記カット部は、用紙を貫通した針足が導入される一対の導入部と、前記導入部に導入された針足を切断する一対の切断部材と、前記切断部材で切断されたカット針を排出する排出路を備え、
前記排出路は、一対の前記導入部の間にカット針の仮収納部を備え、前記仮収納部は、前記切断部材で切断されたカット針が入る一対の入口部を、前記導入部と対向する側面に備えた
ことを特徴とするステープラ。
【請求項２】
前記仮収納部は、一対の前記入口部の間を遮る仕切部材を備えた
ことを特徴とする請求項１に記載のステープラ。
【請求項３】
前記仕切部材は、前記入口部から前記仮収納部に入ったカット針を、前記排出路方向に誘導する向き規制部を備えた
ことを特徴とする請求項２に記載のステープラ。
【請求項４】
請求項１に記載のステープラにおいて、
前記カット部でカットされたカット針を収納するカット針収納部を備え、
前記排出路は、前記カット針を前記カット針収納部へ排出する
ことを特徴とするステープラ。
【請求項５】
前記排出路は、前記仮収納部から直線状に延在する
ことを特徴とする請求項１〜請求項４の何れか１項に記載のステープラ。
【発明の詳細な説明】
【技術分野】
【０００１】
本発明は、複数枚の用紙をステープルと称す針で綴じるステープラに関する。
【背景技術】
【０００２】
後処理装置に使用される電動のステープラでは、想定される最大枚数の用紙を綴じることが可能な長さの針足を有した針を収納しておき、綴じ枚数が少ない場合等は、針足をカットして綴じる技術が提案されている。
【０００３】
このようなステープラでは、針を打ち出して用紙に貫通させる針打出部が下側に配置され、用紙を貫通した針の針足を折り曲げて用紙を綴じる綴じ部が上側に配置される構成が提案されている。
【０００４】
針足を切断するカット部は、綴じ部側に設けられており、用紙を貫通した針足をカット部に入れる導入部が、下向きの開口で構成される（例えば、特許文献１参照）。
【０００５】
また、カット部でカットされたカット針が一時的に収納される仮収納部からカット針を回収するため、カット針の排出路が仮収納部の下面に形成された開口と連通する構成が提案されている（例えば、特許文献２参照）。
【先行技術文献】
【特許文献】
【０００６】
【特許文献１】特開２００５−１１９２４６号公報
【特許文献２】特開２００５−１１９２４７号公報
【発明の概要】
【発明が解決しようとする課題】
【０００７】
従来のステープラでは、針足の導入部が下向きの開口で構成されることで、切断後のカット針が、この導入部から外部に落下する可能性があった。また、カット針の排出経路が複雑で、カット針が仮収納部に滞留する可能性があった。針足の導入部は、仮収納部の下面が開口しており、カット針が仮収納部に滞留すると、導入部からカット針が外部に落下する可能性が高くなる。
【０００８】
本発明は、そのような課題を解決するためなされたもので、カット針の外部への落下を抑制し、かつ、カット針の滞留を抑制して確実に回収することが可能なステープラを提供することを目的とする。
【課題を解決するための手段】
【０００９】
上述した課題を解決するため、本発明は、針を打ち出して用紙に貫通させる針打出部と、用紙を貫通した針の針足をカットするカット部と、用紙を貫通した針の針足を折り曲げて用紙を綴じる綴じ部を備え、カット部は、用紙を貫通した針足が導入される一対の導入部と、導入部に導入された針足を切断する一対の切断部材と、切断部材で切断されたカット針を排出する排出路を備え、排出路は、一対の導入部の間にカット針の仮収納部を備え、仮収納部は、切断部材で切断されたカット針が入る一対の入口部を、導入部と対向する側面に備えたステープラである。
【００１０】
また、針で用紙を綴じるステープラを備えて、画像の形成された用紙に後処理を施す後処理装置であって、ステープラは、針を打ち出して用紙に貫通させる針打出部と用紙を貫通した針の針足をカットするカット部と、用紙を貫通した針の針足を折り曲げて用紙を綴じる綴じ部を備え、カット部は、用紙を貫通した針足が導入される一対の導入部と、導入部に導入された針足を切断する一対の切断部材と、切断部材で切断されたカット針を排出する排出路を備え、排出路は、一対の導入部の間にカット針の仮収納部を備え、仮収納部は、切断部材で切断されたカット針が入る一対の入口部を、導入部と対向する側面に備えた後処理装置に好適なステープラである。
【００１１】
更に、用紙に画像を形成して出力する画像形成装置と、画像形成装置に接続されて用紙に後処理を施す上述した後処理装置を備えた画像形成システムに好適なステープラである。
【００１２】
本発明では、用紙を貫通した針の針足は、カット部の導入部に入り、切断部材の動作で切断されて、仮収納部の側面の入口部から仮収納部内に入る。仮収納部に入ったカット針は、排出路を通り排出される。
【発明の効果】
【００１３】
本発明では、仮収納部の側面にカット針の入口部を備えることで、針足の導入部が仮収納部の下面に設けられず、仮収納部に入ったカット針が導入部からカット部の外に落下することを抑制できる。これにより、仮収納部に入ったカット針を排出路に確実に誘導して、排出路から排出することができる。
【図面の簡単な説明】
【００１４】
【図１】本実施の形態のステープラの一例を示す側面図である。
【図２】本実施の形態のステープラの一例を示す要部側面図である。
【図３】針で用紙を綴じる動作の一例を示す説明図である。
【図４】本実施の形態のカット部の一例を示す構成図である。
【図５】排出路の一例を示す構成図である。
【図６】本実施の形態の画像形成システムの概要を示す構成図である。
【図７】本実施の形態の後処理装置の一例を示す構成図である。
【図８】本実施の形態のカット部の動作の一例を示す説明図である。
【発明を実施するための形態】
【００１５】
以下、図面を参照して、本発明のステープラ、ステープラを備えた後処理措置、後処理装置を備えた画像形成システムの実施の形態について説明する。
【００１６】
＜本実施の形態のステープラの構成例＞
図１は、本実施の形態のステープラの一例を示す側面図、図２は、本実施の形態のステープラの一例を示す要部側面図である。また、図３は、針で用紙を綴じる動作の一例を示す説明図である。
【００１７】
まず、図３を参照して、ステープラ１Ａで用紙Ｐを綴じる動作について説明する。ステープルと称す針１０Ａは、図３（ａ）に示すように、針クラウン１１Ａの両端が一の方向に折り曲げられて、針足１２Ａが形成される。すなわち、針１０Ａは、略コ字状に成形される。
【００１８】
針１０Ａは、針クラウン１１Ａが押圧されることで、図３（ｂ）に示すように、針足１２Ａが用紙Ｐを貫通し、針クラウン１１Ａが用紙Ｐに接する。針足１２Ａが用紙Ｐを貫通した針１０Ａは、図３（ｃ）に示すように、針足１２Ａを折り曲げた際に互いに重なり合う針足１２Ａの余剰分がカット針１３Ａとしてカットされる。
【００１９】
針足１２Ａが所定の長さにカットされた針１０Ａは、図３（ｄ）に示すように、用紙Ｐを貫通した針足１２Ａが折り曲げられて、用紙Ｐが針１０Ａで綴じられる。
【００２０】
次に、各図を参照して、本実施の形態のステープラ１Ａの構成について説明する。ステープラ１Ａは、針１０Ａの供給及び打ち出しが行われる針打出ユニット２Ａと、針打出ユニット２Ａとの協働で、針１０Ａの針足１２Ａのカット及び針足１２Ａの折り曲げを行って、用紙Ｐを針１０Ａで綴じる綴じユニット３Ａを備える。また、ステープラ１Ａは、針打出ユニット２Ａと綴じユニット３Ａとの間に、打出ユニット２Ａと綴じユニット３Ａとで用紙Ｐの束を挟持する用紙挟持部４Ａを備える。
【００２１】
以下の説明では、用紙挟持部４Ａが設けられる側をステープラ１Ａの前側とし、用紙挟持部４Ａが設けられる側と反対側を後側とする。また、綴じユニット３Ａが設けられる側をステープラ１Ａの上側とし、針打出ユニット２Ａが設けられる側をステープラ１Ａの下側とする。
【００２２】
針打出ユニット２Ａは針打出部の一例で、針１０Ａが収納された針収納部である針カートリッジ１００Ａが着脱可能に取り付けられる。針打出ユニット２Ａは、針カートリッジ１００Ａから針１０Ａを繰り出す繰り出し部２１Ａと、針１０Ａを用紙Ｐに打ち込む打出部２２Ａを備える。
【００２３】
針１０Ａは、本例では、直線状の複数本の針１０Ａが接着により一体とされた針シートとして提供され、複数の針シートが積載されて針カートリッジ１００Ａに収納される。打出部２２Ａは、針シートの搬送方向の最先端の１本の針１０Ａを打ち出す動作に連動して、２本目もしくは３本目の針１０Ａを、図３（ａ）等に示すように、略コ字形状に成形する。
【００２４】
綴じユニット３Ａは綴じ部の一例で、用紙Ｐを貫通した針１０Ａの針足１２Ａを、所定の長さでカットするカット部３０Ａと、用紙Ｐを貫通し、所定の長さにカットされた針１０Ａの針足１２Ａを、用紙Ｐの方向へ折り曲げるクリンチャ部３１Ａを備える。
【００２５】
用紙挟持部４Ａは、針１０Ａによる用紙Ｐの綴じ位置Ｐｉが、打出部２２Ａとクリンチャ部３１Ａとの間に位置できるようにするため、ステープラ１Ａの前側と、左右の両側の３方向が開口した形状である。
【００２６】
用紙挟持部４Ａは、針打出ユニット２Ａに第１の挟持部４０Ａを備え、綴じユニット３Ａに、第１の挟持部４０Ａと対向して第２の挟持部４１Ａを備える。ステープラ１Ａは、軸３２Ａを支点とした綴じユニット３Ａの回転動作で、綴じユニット３Ａが針打出ユニット２Ａに近づく方向に移動することで、第１の挟持部４０Ａと第２の挟持部４１Ａの間に用紙Ｐが挟持される。
【００２７】
用紙挟持部４Ａは、矢印ａで示す用紙Ｐの挿入方向の位置を規制する用紙位置規制部４２Ａを備える。用紙位置規制部４２Ａは、矢印ａで示す用紙Ｐの挿入方向に対して、用紙挟持部４Ａの奥側で第１の挟持部４０Ａと第２の挟持部４１Ａとの間に突出する。これにより、用紙挟持部４Ａに挿入された用紙Ｐが、用紙位置規制部４２Ａより奥側に挿入されることが規制される。
【００２８】
ステープラ１Ａは、針打出ユニット２Ａと綴じユニット３Ａを開閉すると共に、針打出ユニット２Ａの繰り出し部２１Ａ及び打出部２２Ａと、綴じユニット３Ａのカット部３０Ａ及びクリンチャ部３１Ａを駆動する駆動部５Ａを備える。
【００２９】
駆動部５Ａは、針打出ユニット２Ａに設けられたモータ５０Ａに駆動されるカム５１Ａと、カム５１Ａの動作を各部に伝達する図示しないリンク等を備える。
【００３０】
ステープラ１Ａは、カム５１Ａの動作がリンク等を介して綴じユニット３Ａに伝達されることで、針打出ユニット２Ａと綴じユニット３Ａが離接する方向に相対移動する。本例は、軸３２Ａを支点とした回転動作で、綴じユニット３Ａが針打出ユニット２Ａに対して離接する方向に移動する。
【００３１】
ステープラ１Ａは、カム５１Ａが一方向に回転する動作で、綴じユニット３Ａが針打出ユニット２Ａに近づく方向に移動して、所定のタイミングで用紙Ｐを用紙挟持部４Ａで挟持する。また、ステープラ１Ａは、カム５１Ａが更に一方向に回転する動作で、所定のタイミングで綴じユニット３Ａが針打出ユニット２Ａから離れる方向に移動して、用紙挟持部４Ａでの用紙Ｐの挟持を解除する。
【００３２】
また、ステープラ１Ａは、カム５１Ａの動作がリンク等を介して繰り出し部２１Ａ及び打出部２２Ａに伝達され、カム５１Ａが１方向に回転する動作で、針カートリッジ１００Ａに収納された針１０Ａを繰り出し部２１Ａにより繰り出し、繰り出された針１０Ａの最先端の１本を、用紙挟持部４Ａで挟持された用紙Ｐに打出部２２Ａで打ち込んで、針１０Ａの針足１２Ａを用紙Ｐに貫通させる。また、２本目もしくは３本目の針１０Ａを、図３（ａ）等に示すように、略コ字形状に成形する。
【００３３】
更に、ステープラ１Ａは、カム５１Ａの動作がリンク等を介してカット部３０Ａ及びクリンチャ部３１Ａに伝達され、カム５１Ａが一方向に回転する動作で、用紙Ｐを貫通した針１０Ａの針足１２Ａをカット部３０Ａで所定の長さでカットし、所定の長さにカットされた針１０Ａの針足１２Ａをクリンチャ部３１Ａで折り曲げる。
【００３４】
ステープラ１Ａは、カット部３０Ａでカットされたカット針１３Ａを収納するカット針収納部６Ａを備える。カット針収納部６Ａは、用紙挟持部４Ａが設けられた側と反対のステープラ１Ａの後側に、ステープラ１Ａに対して着脱可能に取り付けられる。
【００３５】
図４は、本実施の形態のカット部の一例を示す構成図、図５は、排出路の一例を示す構成図であり、次に、本実施の形態のカット部３０Ａについて、各図を参照して説明する。
【００３６】
カット部３０Ａは、用紙Ｐを貫通した針足１２Ａの導入部３００ＡＬ、３００ＡＲと、導入部３００ＡＬ、３００ＡＲに導入された針足１２Ａを切断する一対の切断部材３０１ＡＬ、３０１ＡＲと、切断部材３０１ＡＬ、３０１ＡＲで切断されたカット針１３Ａを、カット針収納部６Ａに排出する排出路３０２Ａを備える。
【００３７】
カット部３０Ａは、支持板３０３Ａに、針１０Ａの針クラウン１１Ａの幅より狭い所定の幅で突出する凸部３０４Ａを備え、凸部３０４Ａの一方の側面に受け部３０４ＡＬを備え、他方の側面に受け部３０４ＡＲを備える。
【００３８】
一方の切断部材３０１ＡＬは、軸３０６ＡＬを支点として回転可能に支持板３０３Ａの上面に取り付けられ、一方の受け部３０４ＡＬと対向する前端に刃部３０５ＡＬを備える。
【００３９】
切断部材３０１ＡＬは、図１で示すモータ５０Ａにより駆動され、軸３０６ＡＬを支点とした回転動作で、刃部３０５ＡＬが受け部３０４ＡＬに対して近づく方向及び離れる方向に移動する。
【００４０】
切断部材３０１ＡＬは、刃部３０５ＡＬが受け部３０４ＡＬに対して近づく方向への回転動作で切断終了位置に移動し、刃部３０５ＡＬが受け部３０４ＡＬに対して離れる方向への回転動作で待機位置に移動する。
【００４１】
他方の切断部材３０１ＡＲは、軸３０６ＡＲを支点として回転可能に支持板３０３Ａの上面に取り付けられ、他方の受け部３０４ＡＲと対向する前端に刃部３０５ＡＲを備える。
【００４２】
切断部材３０１ＡＲは、図１で示すモータ５０Ａにより切断部材３０１ＡＬと連動して駆動され、軸３０６ＡＲを支点とした回転動作で、刃部３０５ＡＲが受け部３０４ＡＲに対して近づく方向及び離れる方向に移動する。
【００４３】
切断部材３０１ＡＲは、刃部３０５ＡＲが受け部３０４ＡＲに対して近づく方向への回転動作で切断終了位置に移動し、刃部３０５ＡＲが受け部３０４ＡＲに対して離れる方向への回転動作で待機位置に移動する。
【００４４】
ステープラ１Ａでは、針１０Ａの一対の針足１２Ａが、一対の切断部材３０１ＡＬ、３０１ＡＲがそれぞれ針足１２Ａに対して外側から内側へと移動する動作によりせん断力を受けて切断される。これにより、せん断により発生する所謂返しや返り、バリ、バリ返し等と称す突出した部位が、一対の針足１２Ａのそれぞれ内側に形成される。このように切断された針足１２Ａを、クリンチャ部３１Ａで内側に向けて折り曲げることで、突出した部位が用紙Ｐ側を向く。
【００４５】
切断部材３０１ＡＬが待機位置に移動している状態では、支持板３０３Ａに形成された一方の受け部３０４ＡＬと、受け部３０４ＡＬと対向する一方の切断部材３０１ＡＬの刃部３０５ＡＬとの間に、針足１２Ａが通る溝部が形成される。導入部３００ＡＬは、この受け部３０４ＡＬと刃部３０５ＡＬとの間の溝部で構成される。
【００４６】
同様に、切断部材３０１ＡＲが待機位置に移動している状態では、支持板３０３Ａに形成された他方の受け部３０４ＡＲと、受け部３０４ＡＲと対向する他方の切断部材３０１ＡＲの刃部３０５ＡＲとの間に、針足１２Ａが通る溝部が形成される。導入部３００ＡＲは、この受け部３０４ＡＲと刃部３０５ＡＲとの間の溝部で構成される。
【００４７】
排出路３０２Ａは、支持板３０３Ａの上面に立設された一対の壁部３０７ＡＬ、３０７ＡＲにより仕切られ、導入部３００ＡＬと導入部３００ＡＲとの間から後方に延在する空間で構成される。カット部３０Ａは、排出路３０２Ａの上面が天板３０８Ａで塞がれる。
【００４８】
排出路３０２Ａは、導入部３００ＡＬと導入部３００ＡＲとの間に、カット針１３Ａの仮収納部３０９Ａを備える。仮収納部３０９Ａは、導入部３００ＡＬと対向する一方の側面に入口部３１０ＡＬを備え、導入部３００ＡＲと対向する他方の側面に入口部３１０ＡＲを備える。
【００４９】
入口部３１０ＡＬは、一方の壁部３０７ＡＬに所定の形状の開口を設けて構成される。入口部３１０ＡＬは、切断部材３０１ＡＬの刃部３０５ＡＬが入り、かつ、最長のカット針１３Ａの長さよりも、支持板３０３Ａから天板３０８Ａまでの高さが高くなるように構成される。
【００５０】
入口部３１０ＡＲは、他方の壁部３０７ＡＲに所定の形状の開口を設けて構成される。入口部３１０ＡＲは、切断部材３０１ＡＲの刃部３０５ＡＲが入り、かつ、最長のカット針１３Ａの長さよりも、支持板３０３Ａから天板３０８Ａまでの高さが高くなるように構成される。
【００５１】
切断部材３０１ＡＬは、針足１２Ａを切断する動作で入口部３１０ＡＬを塞ぐ蓋部３１１ＡＬを備える。蓋部３１１ＡＬは、刃部３０５ＡＬの上側に設けられ、入口部３１０ＡＬに入り込んで塞ぐ形状を有する。
【００５２】
切断部材３０１ＡＲは、針足１２Ａを切断する動作で入口部３１０ＡＲを塞ぐ蓋部３１１ＡＲを備える。蓋部３１１ＡＲは、刃部３０５ＡＲの上側に設けられ、入口部３１０ＡＲに入り込んで塞ぐ形状を有する。
【００５３】
仮収納部３０９Ａは、入口部３１０ＡＬと入口部３１０ＡＲとの間に仕切板３１２Ａを備える。仕切板３１２Ａは仕切部材の一例で、入口部３１０ＡＬ及び排出路３０２Ａと対向する向きに傾斜する向き規制部３１２ＡＬと、入口部３１０ＡＲ及び排出路３０２Ａと対向する向きに傾斜する向き規制部３１２ＡＲと、入口部３１０ＡＬと入口部３１０ＡＲとの間仕切る遮蔽部３１２ＡＣを備える。
【００５４】
仕切板３１２Ａは、入口部３１０ＡＬと入口部３１０ＡＲとの間に突出し、切断部材３０１ＡＬで切断されたカット針１３Ａが向かう経路及び切断部材３０１ＡＲで切断されたカット針１３Ａが向かう経路を遮る。
【００５５】
排出路３０２Ａは、仮収納部３０９Ａから後方へ直線状に延在する。１本の排出路３０２Ａは２本の排出路３０２ＡＬ、３０２ＡＲに分岐し、針収納部の一例である針カートリッジ１００Ａの着脱経路を退避する経路で、針カートリッジ１００Ａの左右両側に配置される。
【００５６】
ステープラ１Ａは、一方の排出路３０２ＡＬの排出口３１３ＡＬと、カット針収納部６Ａの図示しない一方の回収口が連通し、他方の排出路３０２ＡＲの排出口３１３ＡＲと、カット針収納部６Ａの図示しない他方の回収口が連通する。
【００５７】
排出路３０２Ａは、カット部３０Ａより排出口３１３ＡＬ、３１３ＡＲが低くなるように、排出路３０２Ａと、排出路３０２ＡＬ及び排出路３０２ＡＲが傾斜する構成で、カット針１３Ａが、仮収納部３０９Ａから自重でカット針収納部６Ａに回収される。
【００５８】
＜画像形成システム及び後処理装置の構成例＞
図６は、本実施の形態の画像形成システムの概要を示す構成図、図７は、本実施の形態の後処理装置の一例を示す構成図である。
【００５９】
本実施の形態の画像形成システム５００Ａは、画像形成装置５０１Ａと、少なくとも１種類の処理が可能な後処理装置５０２Ａを備える。画像形成装置５０１Ａは、装置内または外部の図示しない給紙部から繰り出した用紙Ｐに画像を形成して出力する。画像形成装置５０１Ａは、本例では、走査露光による静電潜像の形成、トナーによる静電潜像の現像、トナーの用紙への転写及び定着により用紙Ｐに画像を形成する。
【００６０】
本実施の形態の後処理装置５０２Ａは、綴じ部５０３Ａにステープラ１Ａを備える。綴じ部５０３Ａは、画像形成装置５０１Ａから出力された用紙Ｐを積載する積載部５０４Ａを備える。
【００６１】
図７は、後処理装置５０２Ａの綴じ部５０３Ａを上側から見た図である。ステープラ１Ａは、図７に示すように、積載部５０４Ａに積載された用紙Ｐの一方の角部を綴じる第１の位置Ｐｐ１、用紙Ｐの辺ＰＬに沿った任意の箇所を綴じる第２の位置Ｐｐ２、用紙Ｐの他方の角部を綴じる第３の位置Ｐｐ３に、図示しない移動部により移動する。本例では、第１の位置Ｐｐ１は、ホームポジション（ＨＰ）である基準位置を兼ねる。カット針収納部６Ａの着脱は、本例では、第１の位置Ｐｐ１にステープラ１Ａを移動させ、扉５０５Ａを開くことで行われる。
【００６２】
＜本実施の形態のステープラの作用効果例＞
図８は、本実施の形態のカット部の動作の一例を示す説明図で、以下に、各図を参照して本実施の形態のステープラの動作について説明する。
【００６３】
ステープラ１Ａで用紙Ｐを綴じる動作では、図２に示すように、針打出ユニット２Ａの第１の挟持部４０Ａと、綴じユニット３Ａの第２の挟持部４１Ａとの間に用紙Ｐが挟持され、図１に示す針打出ユニット２Ａの打出部２２Ａで、図示しない針シートから、図３（ａ）等に示すように、略コ字形状に成形された１本の針１０Ａが分離されて打ち出される。これにより、針１０Ａは、切断前の針足１２Ａが用紙Ｐを貫通する。
【００６４】
用紙Ｐを貫通した一方の針足１２Ａの余剰部分は、カット部３０Ａの導入部３００ＡＬに導入され、他方の針足１２Ａの余剰部分は、導入部３００ＡＲに導入される。針１０Ａを打ち出して用紙Ｐを貫通させる動作が終了すると、一対の切断部材３０１ＡＬ、３０１ＡＲを、二点鎖線で示す待機位置Ｐｒから実線で示す切断終了位置Ｐｃまで移動させる。
【００６５】
切断部材３０１ＡＬを待機位置Ｐｒから切断終了位置Ｐｃまで移動させると、導入部３００ＡＬに入っている一方の針足１２Ａが、切断部材３０１ＡＬの刃部３０５ＡＬと受け部３０４ＡＬとの間に挟まれ、せん断力を受けることで切断される。
【００６６】
切断部材３０１ＡＬで切断された針足であるカット針１３Ａは、入口部３１０ＡＬから仮収納部３０９Ａに入る。切断部材３０１ＡＬで切断されたカット針１３Ａは、切断部材３０１ＡＬからの力を受けて入口部３１０ＡＲの方向に向かう。
【００６７】
一方の入口部３１０ＡＬから仮収納部３０９Ａに入り、他方の入口部３１０ＡＲの方向に向かうカット針１３Ａは、仕切板３１２Ａに当たり、破線の矢印で示すように、向き規制部３１２ＡＬ、遮蔽部３１２ＡＣに沿って移動することで後方に向かう。これにより、入口部３１０ＡＬから仮収納部３０９Ａに入ったカット針１３Ａが、入口部３１０ＡＲの方向へ向かうことが抑制され、排出路３０２Ａの方向へ向かう。
【００６８】
切断部材３０１ＡＲを待機位置Ｐｒから切断終了位置Ｐｃまで移動させると、導入部３００ＡＲに入っている他方の針足１２Ａが、切断部材３０１ＡＲの刃部３０５ＡＲと受け部３０４ＡＲとの間に挟まれ、せん断力を受けることで切断される。
【００６９】
切断部材３０１ＡＲで切断された針足であるカット針１３Ａは、入口部３１０ＡＲから仮収納部３０９Ａに入る。切断部材３０１ＡＲで切断されたカット針１３Ａは、切断部材３０１ＡＲからの力を受けて入口部３１０ＡＬの方向に向かう。
【００７０】
他方の入口部３１０ＡＲから仮収納部３０９Ａに入り、一方の入口部３１０ＡＬの方向に向かうカット針１３Ａは、仕切板３１２Ａに当たり、破線の矢印で示すように、向き規制部３１２ＡＲ、遮蔽部３１２ＡＣに沿って移動することで後方に向かう。これにより、入口部３１０ＡＲから仮収納部３０９Ａに入ったカット針１３Ａが、入口部３１０ＡＬの方向へ向かうことが抑制され、排出路３０２Ａの方向へ向かう。
【００７１】
そして、排出路３０２Ａの方向へ向かうカット針１３Ａは、自重で排出路３０２Ａから排出路３０２ＡＬまたは排出路３０２ＡＲに入り、カット針収納部６Ａに回収される。
【００７２】
本実施の形態のステープラ１Ａでは、仮収納部３０９Ａの側面に設けられた入口部３１０ＡＬ及び入口部３１０ＡＲから、切断部材３０１ＡＬ、３０１ＡＲで切断されたカット針１３Ａが入る構成であり、仮収納部の３０９Ａの下面に、針足１２Ａを導入するための開口が設けられない。これにより、仮収納部３０９Ａに入ったカット針１３Ａが外部に落下することが抑制される。
【００７３】
また、切断終了位置Ｐｃに切断部材３０１ＡＬ、３０１ＡＲが移動すると、入口部３１０ＡＬ、３１０ＡＲが蓋部３１１ＡＬ、３１１ＡＲで塞がれるので、カット針１３Ａが入口部３１０ＡＬ、３１０ＡＲから外部に落下することが抑制される。
【００７４】
更に、仮収納部３０９Ａに入るカット針１３Ａの移動する方向が仕切板３１２Ａ及び向き規制部３１２ＡＬ、３１２ＡＲで排出路３０２Ａの方向に誘導される。また、排出路３０２Ａは、仮収納部３０９Ａから直線状に延在する。これにより、仮収納部３０９Ａに入ったカット針１３Ａが仮収納部３０９Ａに滞留することが抑制される。よって、用紙Ｐを綴じる動作の終了後、切断部材３０１ＡＬ、３０１ＡＲが待機位置Ｐｒに移動して、入口部３１０ＡＬ、３１０ＡＲが開いたときに、滞留しているカット針１３Ａが外部に落下するということが抑制される。
【符号の説明】
【００７５】
１Ａ・・・ステープラ、１０Ａ・・・針、１２Ａ・・・針足、２Ａ・・・針打出ユニット、２１Ａ・・・繰り出し部、２２Ａ・・・打出部、３Ａ・・・綴じユニット、３０Ａ・・・カット部、３１Ａ・・・クリンチャ部、３２Ａ・・・軸、４Ａ・・・用紙挟持部、４０Ａ・・・第１の挟持部、４１Ａ・・・第２の挟持部、４２Ａ・・・用紙位置規制部、５Ａ・・・駆動部、６Ａ・・・カット針収納部、１００Ａ・・・針カートリッジ、３００ＡＬ、３００ＡＲ・・・導入部、３０１ＡＬ、３０１ＡＲ・・・切断部材、３０２Ａ・・・排出路、３０３Ａ・・・支持板、３０４Ａ・・・凸部、３０４ＡＬ、３０４ＡＲ・・・受け部、３０５ＡＬ、３０５ＡＲ・・・刃部、３０６ＡＬ、３０６ＡＲ・・・軸、３０７ＡＬ、３０７ＡＲ・・・壁部、３０８Ａ・・・天板、３０９Ａ・・・仮収納部、３１０ＡＬ、３１０ＡＲ・・・入口部、３１１ＡＬ、３１１ＡＲ・・・蓋部、３１２Ａ・・・仕切板、３１３ＡＬ、３１３ＡＲ・・・排出口
【図１】
2018069635.tif 000003
【図２】
2018069635.tif 000004
【図３】
2018069635.tif 000005
【図４】
2018069635.tif 000006
【図５】
2018069635.tif 000007
【図６】
2018069635.tif 000008
【図７】
2018069635.tif 000009
【図８】
2018069635.tif 000010